(57)【要約】      （修正有）【課題】より小さな操作力で対象物を綴じ得る綴じ具を提供する。【解決手段】綴じ具１は、対象物に設けられた綴じ穴に挿通し得る綴じ足４を厚み方向に挿通させるための綴じ足挿通部２１を備えてなるベース２と、ベース２に対して面方向に動作可能に取り付けられ綴じ足挿通部２１の上側で綴じ足４の先端側をベース２に沿うように屈曲させ得る綴じ位置と前記綴じ足挿通部２１の上側から退避する退避位置Ｐとの間で動作可能な押さえ具３とを有してなる。そしてベース２が、上側保持部２２と、案内部２３とを有している。【選択図】図６
2014083835.tif 000002
【特許請求の範囲】
【請求項１】
対象物に設けられた綴じ穴に挿通し得る綴じ足を厚み方向に挿通させるための綴じ足挿通部を備えてなるベースと、当該ベースに対して面方向に動作可能に取り付けられ綴じ足挿通部の上側で前記綴じ足の先端側をベースに沿うように屈曲させ得る綴じ位置と前記前記綴じ足挿通部の上側から退避する退避位置との間で動作可能な押さえ具とを有してなる綴じ具であって、
前記ベースが、前記綴じ位置よりも上側で前記押さえ具を保持する上側保持部と、前記退避位置から前記綴じ位置に至るまで前記押さえ具が前記綴じ足に前記綴じ位置よりも高い位置で前記綴じ足に当接し始めるように案内する案内部とを有していることを特徴とする綴じ具。
【請求項２】
前記ベースが前記押さえ具をスライド可能に取り付けている請求項１記載の綴じ具。
【請求項３】
前記上側保持部が前記ベースにおいて前記綴じ位置よりも上側に隆起させた隆起面を有し、前記案内部が前記隆起面から下側へ向けて傾斜した方向に面した傾斜面を有している請求項１又は２記載の綴じ具。
【請求項４】
前記隆起面を面方向に沿って設けている請求項３記載の綴じ具。
【請求項５】
請求項１乃至４いずれかに記載の綴じ具を表紙体に取り付けてなることを特徴とするファイル。
【請求項６】
前記表紙体が前記綴じ具に綴じられる対象物を平面視覆い得る表表紙及び裏表紙と、これら表表紙及び裏表紙の間に介在する背部とを有するものであり、
前記表表紙及び裏表紙のいずれか一方に前記綴じ具を取り付けるとともに、他方に前記綴じ足の先端側に連続可能に設けられ前記対象物の綴じ穴に挿通されて前記対象物を保持し得る補助綴じ足を有する補助綴じ具を取り付けている請求項５記載のファイル。
【請求項７】
前記綴じ具及び前記補助綴じ具をそれぞれ背部を介して対称となる位置にそれぞれ取り付けるとともに、前記表表紙及び前記裏表紙を重層させた折り畳み状態で前記綴じ具及び前記補助綴じ具を係合させ得る畳み係合部を設けている請求項６記載のファイル。
【請求項８】
前記背部における前記表表紙及び前記裏表紙に対する中間位置に中央折り線を形成している請求項７記載のファイル。
【発明の詳細な説明】
【技術分野】
【０００１】
本発明は、紙葉類を綴じるための綴じ具および当該綴じ具を具備するファイルに関するものである。
【背景技術】
【０００２】
従来、綴じ足を挟み込むことで綴じ足を綴じ穴に挿通させた紙葉類を表紙体に綴じておくことが可能な綴じ具及び当該綴じ具を具備しているファイルが種々提案されている（例えば、特許文献１参照）。特に近年では、綴じるための動作を手指によるより簡単な動作で行い得るように押さえ具の形状や構造が工夫されたものも提案されている（例えば、特許文献２参照）。
【０００３】
上述した特許文献２に記載の綴じ具は、複数の綴じ足をそれぞれ挿通させるための複数の綴じ足挿通部を備えてなるベースと、当該ベースに対して動作可能に取り付けられ、綴じ足を綴じ足挿通部よりも上側から押さえ得る複数の押さえ具とを有し、これらの押さえ部が綴じ足の先端側をベースに沿うように屈曲させ得る位置に位置付けた綴じ姿勢から、複数の押さえ具間に介在する操作部を指で摘み上げるのみで、各押さえ具が綴じ足挿通部の上側から退避することにより綴じ足と綴じ具との係り合いが解除されるものである。このようなものはファイルにおける紙葉類の綴じ込み作業や加除作業を簡単に繰り返し行うことができるものとして、これまでオフィスにおいて広く好適に受け入れられてきた。
【０００４】
しかしながら当該特許文献２に記載の綴じ具であっても解放姿勢から綴じ姿勢へと操作する場合には、依然として押さえ具がベースに沿ってスライドさせながら綴じ足に横方向から当接し屈曲させるだけの操作力は依然として必要となるので、やはり解放姿勢から綴じ姿勢従来の綴じ具と同程度の操作力を要するものとなっているのが現状である。
【先行技術文献】
【特許文献】
【０００５】
【特許文献１】実開平６−３６８８４号公報
【特許文献２】特開２００２−３０７８８４号公報
【発明の概要】
【発明が解決しようとする課題】
【０００６】
本発明は、このような上述した点に着目したものであり、綴じ足を曲げた綴じ状態へと押さえ具を操作する際により小さな操作力で押さえ具を操作し得る綴じ具を提供することを目的としている。
【課題を解決するための手段】
【０００７】
本発明は、このような目的を達成するために、次のような手段を講じたものである。
【０００８】
すなわち本発明に係る綴じ具は、対象物に設けられた綴じ穴に挿通し得る綴じ足を厚み方向に挿通させるための綴じ足挿通部を備えてなるベースと、当該ベースに対して面方向に動作可能に取り付けられ綴じ足挿通部の上側で前記綴じ足の先端側をベースに沿うように屈曲させ得る綴じ位置と前記前記綴じ足挿通部の上側から退避する退避位置との間で動作可能な押さえ具とを有してなる綴じ具であって、前記ベースが、前記綴じ位置よりも上側で前記押さえ具を保持する上側保持部と、前記退避位置から前記綴じ位置に至るまで前記押さえ具が前記綴じ足に前記綴じ位置よりも高い位置で前記綴じ足に当接し始めるように案内する案内部とを有していることを特徴とする。また本発明に係るファイルは斯かる綴じ具を表紙体に取り付けてなることを特徴とする。
【０００９】
このようなものであれば、押さえ具が綴じ位置よりも高い位置で綴じ足に対する押さえ動作を開始することになる。そのため、綴じ足は綴じ動作の際には従来のようにベースを挿通した箇所付近の狭い範囲をいわゆる「曲がり代（しろ）」として曲げられるのではなく、上側保持部により押さえ具が上側に位置付けられるのに応じたより長い「曲がり代」で曲げられることになる。これにより、押さえ具に対する操作力が小さくともスムーズに綴じ足の屈曲動作が促される。その結果、より小さな操作力で対象物を綴じ得る綴じ具を提供することができる。
【００１０】
簡素な構成で前記上側保持部及び前記案内部を構成するためには、前記ベースを前記押さえ具をスライド可能に取り付けるようにすることが望ましい。
【００１１】
また、より小さな操作力で押さえ具を綴じ位置とするためには、前記上側保持部が前記ベースにおいて前記綴じ位置よりも上側に隆起させた隆起面を有し、前記案内部が前記隆起面から下側へ向けて傾斜した方向に面した傾斜面を有しているものとすることが望ましい。この傾斜面により、押さえ具は面方向の操作力に加え厚み方向の操作力も面方向の操作力へ変換され、よりスムーズな動作が促される。
【００１２】
押さえ具を退避位置から不意に動作してしまうことを回避して快適な動作を担保するためには、前記隆起面を面方向に沿って設けておくことが望ましい。
【００１３】
そして本発明に係るファイルは、前記表紙体が前記綴じ具に綴じられる対象物を平面視覆い得る表表紙及び裏表紙と、これら表表紙及び裏表紙の間に介在する背部とを有するものであり、前記表表紙及び裏表紙のいずれか一方に前記綴じ具を取り付けるとともに、他方に前記綴じ足の先端側に連続可能に設けられ前記対象物の綴じ穴に挿通されて前記対象物を保持し得る補助綴じ足を有する補助綴じ具を取り付けているものとしている。これにより、対象物として複数枚の紙葉類を綴じているときにこれら複数枚の紙葉類の間に新たな紙葉類を綴じようとする場合には、補助綴じ足に所要の一部の紙葉類を一時的に綴じておけば、新たな紙葉類を綴じた後、補助綴じ足と綴じ足とを連通させて前記所要の紙葉類を再び閉じ直すことも容易に実現し得る。ここで、「背部」とは、表表紙及び裏表紙の間に一定の厚み寸法を形成すべく背表紙として介在する態様のみならず、隣接させた表表紙及び裏表紙の間を折り曲げることにより形成された縁部をも含む概念である。
【００１４】
また、ファイルの保管時や未使用のファイルをコンパクトに収容し得るようにするためには、前記綴じ具及び前記補助綴じ具をそれぞれ背部を介して対称となる位置にそれぞれ取り付けるとともに、前記表表紙及び前記裏表紙を重層させた折り畳み状態で前記綴じ具及び前記補助綴じ具を係合させ得る畳み係合部を設けた構成としておくことが望ましい。
【００１５】
そして、ファイルをよりコンパクトに収容するための具体的な構成としては、前記背部における前記表表紙及び前記裏表紙に対する中間位置に中央折り線を形成した構成を挙げることができる。
【発明の効果】
【００１６】
本発明によれば、より小さな操作力で対象物を綴じ得る綴じ具を提供することができる。
【図面の簡単な説明】
【００１７】
【図１】本発明の一実施形態に係る斜視図。
【図２】同正面図。
【図３】同実施形態に係る他の斜視図。
【図４】同実施形態に係る要部の正面図。
【図５】同他の正面図。
【図６】同実施形態に係る要部の構成説明図。
【図７】図６に対応した作用説明図。
【図８】同上。
【図９】同上。
【図１０】同実施形態に係る他の外観図。
【図１１】同実施形態に係る作用説明図。
【図１２】同上。
【図１３】同実施形態の変形例に係る外観図。
【図１４】同実施形態の他の変形例に係る外観図。
【発明を実施するための形態】
【００１８】
以下、本発明の一実施の形態について図面を参照して説明する。
【００１９】
本実施形態に係るファイルＦは、図１乃至図３に示すように、例えばオフィスや家庭において対象物である複数の紙葉類を好適に綴じ得るものであり、表紙体Ｈに対し、直接または間接的に、固定具５、綴じ足４、綴じ具１、そして補助綴じ具６を取り付けた構成をなす。
【００２０】
表紙体Ｈは、前記綴じ具１に綴じられる対象物である紙葉類を覆い得る表表紙Ｈ１及び裏表紙Ｈ２と、これら表表紙Ｈ１及び裏表紙Ｈ２の間に介在する背部Ｈ３とを有するものであり、裏表紙Ｈ２に前記綴じ具１を固定具５、綴じ足４を介して取り付けるとともに、前記綴じ具１に対して前記補助綴じ具６を背部Ｈ３を介して対称となる位置に取り付けている。そして本実施形態では、前記背部Ｈ３における前記表表紙Ｈ１及び前記裏表紙Ｈ２に対する中間位置に中央折り線Ｈ４を形成している。
【００２１】
固定具５は、図３に示すように、例えば一枚の板金素材をプレス加工することにより形成されたもので、当該固定具５の主体をなす板状体５１と、この板状体５１の２カ所において綴じ足４の基端を取り付ける綴じ足固定部５２を有している。
【００２２】
綴じ足４は、本実施形態では管状をなしたものを適用している。具体的には、金属製のコイルバネ状の綴じ足４とし、その先端には基端側まで連通した開口端４１を形成している。
【００２３】
補助綴じ具６は、綴じ具１に綴じられている紙葉類の加除作業を好適に行うためのものである。この補助綴じ具６は、補助綴じ足７と補助固定具８とを有している。補助綴じ足７は、例えば金属製の線材を概略コの字状に折り曲げてなるものである。本実施形態ではこの補助綴じ足７は、前記綴じ足４の先端側に連続可能に設けられ前記対象物たる紙葉類の綴じ穴に挿通されて前記紙葉類を保持し得るように構成してなる。具体的にはこの補助綴じ足７は、両端部分が前記綴じ足４の開口端４１からその挿入端７３を進入させて綴じ足４の内部に収容し得る挿入杆７１と、この挿入杆７１を連結する連結杆７２を有する。そして連結杆７２の中心には部分円弧状に線材を湾曲させた摩擦湾曲部７４を設けている。補助固定具８は、表表紙Ｈ１に例えばリベットを介して固定された樹脂製のものであり、前記連結杆７２を軸支する軸受け８１を２カ所に有するとともに、これら軸受け８１の中心において樹脂を若干凹ませて成型した摩擦面８２を有している。すなわち、補助綴じ足７を回転させて当該摩擦湾曲部７４が補助固定具８の摩擦面８２に接した状態では、補助綴じ足７の挿通杆が綴じ足４に挿通し易いような角度で起立した状態で位置決めされる。そしてこの補助固定具８は上記軸受け８１、摩擦面８２のほかに、綴じ具１に対して係り合い得る係合凸部８３を有している。この係合凸部８３はその長手方向両端に係合爪８４を有しているものであるが、当該係合凸部８３については後に説明する。
【００２４】
そして本実施形態に係るファイルＦは図３に示すように、綴じ足４から綴じ具１を取り外した状態で綴じ足４の先端に補助綴じ足７を挿入することにより固定具５から補助固定具８に至るまで概略アーチ状とすることができる、この状態で所要の紙葉類を先端側へ移動させ、綴じ足４と補助綴じ足７との接続を解除してやると、前記所要の紙葉類を補助綴じ足７側に一時的に保持しておくことが可能である。これにより、綴じている複数の紙葉類から任意の位置の紙葉類のみを取り出したり、任意の順序に紙葉類を入れ替えたりするといった紙葉類の加除作業を容易に行うことができる。
【００２５】
綴じ具１は、対象物に設けられた綴じ穴に挿通し得る綴じ足４を厚み方向に挿通させるための綴じ足挿通部２１を備えてなるベース２と、当該ベース２に対して面方向に動作可能に取り付けられ綴じ足挿通部２１の上側で前記綴じ足４の先端側をベース２に沿うように屈曲させて締め付ける綴じ位置（Ｑ）と前記前記綴じ足挿通部２１の上側から退避する退避位置（Ｐ）との間で動作可能な押さえ具３とを有してなる。
【００２６】
しかして本実施形態に係る綴じ具１は、特に押さえ具３を小さい操作力でも容易に綴じ位置（Ｑ）へと操作して紙葉類を綴じることができるように前記ベース２が、上側保持部２２と、案内部２３とを有していることを特徴としている。
【００２７】
以下、本実施形態に係る綴じ具１の具体的な構成について説明する。
【００２８】
ベース２は、押さえ具３をスライド可能に取り付けてなる例えば樹脂の成形品である。このベース２は、対象物である紙葉類に設けられた綴じ穴に挿通し得る綴じ足４を厚み方向に挿通させるための綴じ足挿通部２１と、前記綴じ位置（Ｑ）よりも上側で前記押さえ具３を保持する上側保持部２２と、前記退避位置（Ｐ）から前記綴じ位置（Ｑ）に至るまで前記押さえ具３が前記綴じ足４に前記綴じ位置（Ｑ）よりも高い位置で前記綴じ足４に当接し始めるように案内する案内部２３と、綴じ位置（Ｑ）で綴じ足４の先端部分を収容する収容溝２９と、上述した補助綴じ具６の補助固定具８に対して係り合い得る係合凹部２４とを有している。上側保持部２２は、退避位置（Ｐ）において押さえ具３が綴じ位置（Ｑ）よりも紙葉類から離間した上側で保持し得るよう樹脂の厚みを大きく形成することにより設けられた隆起面２５を有している。この隆起面２５は、本実施形態では案内部２３に隣接している箇所を最も隆起させた隆起点２５ａを形成している。この隆起点２５ａにより、押さえ具３を綴じ位置（Ｑ）へ向けてスライドさせ始める際にベース２に対して点接触することになる。案内部２３は、押さえ具３に下側から当接する上向面部２６と、押さえ具３が上方へ離間するのを防ぐべく短寸方向に突出させて設けたフランジ状をなすレール部２７とを有している。そして上向面部２６は、隆起面２５に連続した上向傾斜面２６ａを有している。またレール部２７は、退避位置（Ｐ）において押さえ具３に係り合う上側平坦面２７ｂと綴じ位置（Ｑ）において押さえ具３に係り合う下側平坦面２７ｃに加え、これら上側平坦面２７ｂと下側平坦面２７ｃとの間に介在する傾斜面であるレール側傾斜面２７ａを有している。
【００２９】
押さえ具３は、ベース２の長手方向にスライド可能に設けられたものである。本実施形態では綴じ足４及び綴じ足挿通部２１の数に応じて、一つのベース２に対して二つの押さえ具３が取り付けられている。この押さえ具３は本実施形態では左右対称に形成されており、上側において使用者による操作力を受ける操作面３１と、操作面３１の裏面側において綴じ足４を直接押圧し得る押さえ面３２と、ベース２の長手方向における端面において操作時に押さえ面３２に先んじて綴じ足４に当接し得る当接面３３と、ベース２に設けられたレール部２７に係り合いベース２からの抜脱を禁止し得る摺動面３４とを有している。そしてこの摺動面３４には、その両端を傾斜方向に切り欠いた傾斜面３４ａが形成されている。
【００３０】
しかして本実施形態に係る綴じ具１は、上述した上側保持部２２、案内部２３を設けることにより、押さえ具３を退避位置（Ｐ）から綴じ位置（Ｑ）へと操作する際の操作力が小さくともスムーズに操作が行えるように構成している。以下、斯かる綴じ具１の操作について図６乃至図９に示して説明する。なお同図では説明の便宜上、押さえ具３は中央断面を示すものとする。
【００３１】
図６に示すように、退避位置（Ｐ）にある押さえ具３を上側から手指等により押さえながらスライドさせると、まず当接面３３が綴じ足４に当接する。このとき、退避位置（Ｐ）で押さえ具３は隆起面２５上に乗せられた状態、詳述すれば隆起点２５ａ上に乗り上げた状態にあるため、当接面３３は綴じ位置（Ｑ）にあるときよりもより高い位置で綴じ足４に当接し始める。このとき押さえ具３は隆起点２５ａ及び綴じ足４の２点を押圧する。そして図７及び図８に示すように押さえ具３をスライドさせると、綴じ足４は当接面３３に当接する箇所のみならず綴じ足挿通部２１と当接面３３との間の一定寸法をなす部分が折り曲げられ、さらに押さえ面３２に押さえられながら収容溝２９へ収容されていく。このとき、押さえ面３２は綴じ足４を押圧しながら同時に上向傾斜面２６ａ上を摺動し、さらに摺動面３４はレール側傾斜面２７ａに傾斜面３４ａを当接させながら摺動する。これにより、操作面３１に加えられた操作力もスライド方向への力に変換される。そして同時にレール側摺動面２７ａと傾斜面３４ａとの当接による誘導で押さえ具３が低い位置に移行されることにより、スムーズな綴じ足４の折り曲げが実現される。そのため、図９に示すように押さえ具３を動作終端まで動作させると、押さえ具３が綴じ足挿通部２１上に綴じ足４をより強く押さえ、綴じ足４の先端側を略収容溝２９に収容させた綴じ位置（Ｑ）をとる。また他方、綴じ位置（Ｑ）から押さえ具３を上記とは反対方向へ移動させて退避位置（Ｐ）へと姿勢を変更する際には勿論、上記と逆方向の動作を行い、押さえ具３を上向傾斜面２６ａを経て隆起面２５へと移行させる。
【００３２】
他方、本実施形態に係るファイルＦは、図１０に示すように、前記表表紙Ｈ１及び前記裏表紙Ｈ２を重層させた際に同図に示すようなコンパクトな折り畳み状態（Ｒ）をとり、その状態を安定して維持し得る。このようにするために本実施形態に係るファイルＦは、図１１及び図１２に模式的に示すように、前記表表紙Ｈ１及び前記裏表紙Ｈ２を重層させる動作を行うと、図１２に示す折り畳み状態（Ｒ）で前記綴じ具１及び前記補助綴じ具６を係合させ得る畳み係合部Ｘを設けている。具体的に説明すると、この畳み係合部Ｘは、補助固定具８に設けた係合凸部８３とベース２に設けた係合凹部２４からなるものであり、係合凸部８３の両端に位置付けた係合爪８４がベース２の係合凹部２４に設けられた係合面２８に凹凸係合することにより、ベース２及び補助固定具８の相互の位置決めが実現される。なお同図において便宜上綴じ具１側は中央断面を示すとともに、綴じ足４の図示を省略している。また本実施形態に係るファイルＦは、前記背部Ｈ３における前記表表紙Ｈ１及び前記裏表紙Ｈ２に対する中間位置で当該背部Ｈ３を折り曲げ得る中央折り線Ｈ４の位置で折られるようにすれば、図１０に示すようにベース２と補助固定具８との正確な係り合いと表表紙Ｈ１及び裏表紙Ｈ２が近接し表紙体Ｈをコンパクトな姿勢に維持することを両立させ得る。
【００３３】
以上のような構成とすることにより、本実施形態に係る綴じ具１は、綴じ足４は綴じ動作の際には従来のようにベース２を挿通した箇所付近の狭い範囲をいわゆる「曲がり代（しろ）」として曲げられるのではなく、上側保持部２２により押さえ具３が上側に位置付けられるのに応じたより長い「曲がり代」で曲げられることにより、押さえ具３に対する操作力が小さくともスムーズに綴じ足４の屈曲動作が促される。その結果、より小さな操作力で対象物である紙葉類を綴じ得る綴じ具１を実現している。
【００３４】
また簡素な構成で前記上側保持部２２及び前記案内部２３を構成するために本実施形態では、前記ベース２を前記押さえ具３をスライド可能に取り付けるようにしている。
【００３５】
加えて、より小さな操作力で押さえ具３を綴じ位置（Ｑ）とするために本実施形態では、前記上側保持部２２が前記ベース２において前記綴じ位置（Ｑ）よりも上側に隆起させた隆起面２５を有し、前記案内部２３が前記隆起面２５から下側へ向けて傾斜した傾斜面たる上向傾斜面２６ａ及びレール側傾斜面２７ａを有しているものとしている。この上向傾斜面２６ａ及びレール側傾斜面２７ａにより、押さえ具３は面方向の操作力に加え厚み方向の操作力も面方向の操作力へ変換され、よりスムーズな動作が促されている。
【００３６】
また押さえ具３を退避位置（Ｐ）から不意に動作してしまうことを回避して快適な動作を担保するためには、前記隆起面２５を傾斜させずに面方向に沿って平坦に設けている。
【００３７】
そして本実施形態に係るファイルＦは補助綴じ具６を取り付けることにより、対象物として複数枚の紙葉類を綴じているときにこれら複数枚の紙葉類の間に新たな紙葉類を綴じようとする場合には、補助綴じ足７に所要の一部の紙葉類を一時的に綴じておけば、新たな紙葉類を綴じた後、補助綴じ足７と綴じ足４とを連通させて前記所要の紙葉類を再び綴じ直すことも容易にできる。
【００３８】
特に本実施形態に係るファイルＦは保管時や未使用のファイルＦをコンパクトに収容し得るようにするために、前記綴じ具１及び前記補助綴じ具６をそれぞれ背部Ｈ３を介して対称となる位置にそれぞれ取り付けるとともに、前記表表紙Ｈ１及び前記裏表紙Ｈ２を重層させた折り畳み状態（Ｒ）で前記綴じ具１及び前記補助綴じ具６を係合させ得る畳み係合部Ｘを設けたものとしている。
【００３９】
さらに本実施形態では、ファイルＦをよりコンパクトに収容するため、前記背部Ｈ３における前記表表紙Ｈ１及び前記裏表紙Ｈ２に対する中間位置に中央折り線Ｈ４を形成し、畳み係合部Ｘによる係合時にファイルＦの厚み寸法を小さくすることを可能にしている。
【００４０】
＜変形例＞
以下に、本実施形態の各変形例について説明する。斯かる各変形例について上記実施形態の構成要素に相当するものについては同じ符号を付すとともに、その詳細な説明を省略する。
【００４１】
本変形例に係るファイルＦは、いわゆるフラットファイルと呼ばれる態様をなすものであり、裏表紙Ｈ２には上記実施形態同様に綴じ足４及び綴じ具１を取り付けてなるものであるが、補助綴じ具６は表表紙Ｈ１側に取り付けられていないものである。そして当該変形例では綴じ足４の先端は開口させておらず、紙葉類に設けられた綴じ穴に挿通し易いよう、径を細く且つ閉塞させた閉塞端４２を形成している。
【００４２】
このようなものであっても、上記実施形態同様に押さえ具３を小さな操作力でスムーズに綴じ位置（Ｑ）へと操作することができる。
【００４３】
＜他の変形例＞
当該他の変形例に係るファイルＦは、表表紙Ｈ１及び裏表紙Ｈ２のいずれか一方、図示例では表表紙Ｈ１を袋体状に形成することにより、背部Ｈ３の一部を収容させることで背部Ｈ３の実際の幅寸法を変更可能に構成した表紙体Ｈに上記実施形態に係る綴じ足４、綴じ具１、及び補助綴じ具６を取り付けたものである。またこの表紙体Ｈは、表表紙Ｈ１並びに裏表紙Ｈ２の基端側に押さえ片Ｈ５を形成しこの押さえ片Ｈ５に綴じ足４を挿通させるとともに綴じ具１を取り付けることで紙葉類を綴じるようにしている。本変形例に係る綴じ具１はこの押さえ片Ｈ５に取り付けるべく、上記実施形態とは異なり、ベース２の下面側に取付部２ａを設けてなる。また綴じ足４は表表紙Ｈ１側、裏表紙Ｈ２側の押さえ片Ｈ５を挿通する両端に開口端４１が設けられた、すなわち両端に亘り管状に形成されたものを適用している。
【００４４】
このようなものであれば、表紙体Ｈ及び綴じ具１に綴じられた紙葉類に対し表裏いずれからでも加除作業が行えるとともに、表裏いずれからでも所要の紙葉類を一時的に保持しておくことも可能である。またもちろん、綴じる紙葉類の厚みに応じて背部Ｈ３の実際の幅寸法を変更し得る。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態では傾斜面にスライドさせることより押さえ具を案内したが、ほかにもリンク機構や伸縮する機構等の他の機構により押さえ具を案内する構成を適用してもよい。コイルバネ状の綴じ足を開示した態様を開示したが、勿論、樹脂性の綴じ足を適用したものであってもよい。また綴じ足が補助綴じ足に連続する態様は上記実施形態のごとく開口端から補助綴じ足を収容する態様に限られない。つまり綴じ足及び補助綴じ足の径が綴じ足の径より紙葉類を綴じ得ない程度に大きくならない態様であれば綴じ足、補助綴じ足の先端同士を係合させる態様や補助綴じ足の径内に綴じ足を収容する態様等、種々の態様を適用してもよい。またベースの具体的な形状や綴じ足及び綴じ足挿通部の数、表紙体の具体的な形状や補助綴じ具の具体的な形状といった詳細な態様は上記実施形態のものに限定されることはなく、既存のものを含め、種々の態様のものを適用することができる。
【００４７】
その他、各部の具体的構成についても上記実施形態に限られるものではなく、本発明の趣旨を逸脱しない範囲で種々変形が可能である。
【産業上の利用可能性】
【００４８】
本発明は紙葉類を綴じるための綴じ具および当該綴じ具を具備するファイルとして利用することができる。
【符号の説明】
【００４９】
１…綴じ具
２…ベース
２１…綴じ足挿通部
２２…上側保持部
２３…案内部
２６…隆起面
２６ａ…傾斜面（上向傾斜面）
２７ａ…傾斜面（レール側傾斜面）
３…押さえ具
４…綴じ足
６補助綴じ具
７補助綴じ足
Ｆ…ファイル
Ｈ…表紙体
Ｈ４…中央折り線
Ｐ…退避位置
Ｑ…綴じ位置
Ｒ…折り畳み状態
Ｘ…畳み係合部
【図１】
2014083835.tif 000003
【図２】
2014083835.tif 000004
【図３】
2014083835.tif 000005
【図４】
2014083835.tif 000006
【図５】
2014083835.tif 000007
【図６】
2014083835.tif 000008
【図７】
2014083835.tif 000009
【図８】
2014083835.tif 000010
【図９】
2014083835.tif 000011
【図１０】
2014083835.tif 000012
【図１１】
2014083835.tif 000013
【図１２】
2014083835.tif 000014
【図１３】
2014083835.tif 000015
【図１４】
2014083835.tif 000016